(57)【要約】【課題】  イカ掛け針の振り下ろしを餌魚に到達することで可能とする。【解決手段】  釣糸の前から伝達係止具、前係止具、後係止具の順に装着し、保持棒の後に保持環を挿入してイカ掛け針を立てるとともに伝達部を前に突出して滑降させると、釣糸を支点に主錘によりイカ掛け棒が立を保って滑降し、餌魚に到達すると伝達部の前に突出した伝達係止具があたり滑降を停止し、支持部とともにイカ掛け部とが滑降を続けることで保持棒から保持環が離脱し、支持棒の前に有する軸受けに回動自在に結合した軸を芯にイカ掛け針を前向きに振り下ろしイカが掛かる振り下ろしヤエンである。【選択図】  図４
2015128377.tif 000002
【特許請求の範囲】
【請求項１】
棒状体を縦向きのイカ掛け棒とするとともに上部分を後向きに傾けたイカ掛け斜棒とする前向きにイカ掛け針を固着し、イカ掛け棒の下端に軸を有し、棒状体を前後向きの保持棒をイカ掛け棒に有する軸の上で後向きに固着し、前振れ止め具の底辺を前向きでイカ掛け棒に有する保持棒の上で前向きに固着し、後振れ止め具の底辺を下向きで保持棒の中央部分で下向きに固着したイカ掛け部と、棒状体を前後向きの連結棒とするとともに後部分を上向きに屈曲した連結支柱とする上端に保持環と、中央部分にガイドラセン環とを有し、棒状体を縦向きのガイド支柱とする下端に有するガイド環を連結棒に前後動自在に挿入し、該連結棒の前端を前後に長円の伝達枠とし、棒状体を縦向きの伝達支柱とする下端に伝達係止具を有し、伝達枠の前部分で下向きに伝達支柱の上端を固着した伝達部と、棒状体を前後向きの支持棒とするとともに前後部分を下向きの前を前支柱とする下端に前係止具を有し、後を後支柱とする下端に後係止具を有し、該後係止具の下向きを錘支柱とし下端に主錘を固着し、支持棒の前で上向きに軸受けを固着した支持部とで構成し、前支柱を伝達枠に前後動自在に挿入し、連結棒に予め挿入しておいたガイド環に有するガイド支柱の上端を伝達枠が後退する距離を避けて支持棒の下向きに固着し、ガイドラセン環を支持棒に前後動自在に挿入し、支持棒の前で上向きの軸受けにイカ掛け棒の下端に有する軸を回動自在に結合して形成することで、釣糸に付けて投入した餌魚にイカが食い付くと、釣糸の前から伝達係止具、前係止具、後係止具の順に装着し、保持棒の後部分に保持環を挿入することで伝達部が前に移動し伝達枠を前に突出させイカ掛け棒が立てを保持して滑降させると、釣糸を支点に錘支柱の下端に有する主錘がイカ掛け棒を立てて沈降し、餌魚に到達し伝達係止具に当たることで伝達部の滑降が止まり、支持部とともにイカ掛け部とが滑降を続けることで保持環から保持棒が抜け出して、後振れ止め具の底辺が支持棒に当たることでイカ掛け棒の後向きへの振れを防ぎ、前振れ止め具が前支柱に当たることでイカ掛け棒の前向きへの振れ過ぎを防ぎ、イカ掛け棒の下端に有する軸を芯に前向きに振り下ろすことを特徴とする振り下ろしヤエン。
【請求項２】
請求項１記載の振り下ろしヤエンにおいて、イカ掛け斜棒の上端を延長し振り下ろし錘を固着することで、イカ掛け針の振り下ろしを速くしイカの掛かりを良くすることを特徴とする振り下ろしヤエン。
【請求項３】
請求項１記載の振り下ろしヤエンにおいて、イカ掛け棒を上下に分割した下でイカ掛け棒下の上端をスライド筒下の一方の穴に擦り動に挿入しスライド筒上の一方の穴に挿入するとともに固着し、イカ掛け棒上の下端をスライド筒上の他方の穴に擦り動に挿入し、スライド筒下の他方の穴に挿入するとともに固着することで、自由な位置で止まることで、イカ掛け棒上を伸縮させ不揃いな餌魚の寸法に応じることでイカの掛け損じを減少することを特徴とする振り下ろしヤエン。
【請求項４】
請求項１記載の振り下ろしヤエンにおいて、イカ掛け棒の折りたたみについては、イカ掛け棒を上下に分割した上のイカ掛け棒上の下端に軸を有し、下のイカ掛け棒下の中央部分で後向きに軸受けと上端で後向きにキャッチャーとを有し、イカ掛け棒上に有する軸をイカ掛け棒下に有する軸受けに回動自在に結合し、素材が持つ弾性でキャッチャーの開口から押し込んだイカ掛け棒上をキャッチャーから引き放し、イカ掛け棒上に有する軸を芯に振り下ろすことで上向きに突出したイカ掛け棒上が折りたためる。錘支柱の折りたたみについては、錘支柱を上下に分割した下の錘支柱下の上端に軸を有し、上の錘支柱上の中央部分で前向きに軸受けと下端で前向きにキャッチャーとを有し、錘支柱下に有する軸を錘支柱上に有する軸受けに回動自在に結合し、素材が持つ弾性でキャッチャーの開口から押し込んだ錘支柱下をキャッチャーから引き放し、錘支柱下に有する軸を芯に振り上げることで下に突出した錘支柱下が折りたためることで、嵩を小さくし収納運搬を容易にして変形や破損を防ぐことを特徴とする振り下ろしヤエン。
【発明の詳細な説明】
【技術分野】
【０００１】
本発明はイカ釣りに用いるヤエンに関し、詳細には、釣糸に装着し滑降させて餌魚に到達することで、イカ掛け針を振り下ろしイカが掛かる振り下ろしヤエンに関することである。更に、本発明はイカ掛け針の振り下ろしを速くしイカの掛かりを良くする振り下ろしヤエンに関することである。更に、本発明は不揃いな餌魚の長さに応じてイカ掛け棒を伸縮することで、イカの掛け損じを減少する振り下ろしヤエンに関することである。更に、本発明は突出した上向きのイカ掛け棒と下向きの錘支柱とを折りたたむことで、嵩を小さくし収納運搬を容易にする振り下ろしヤエンに関することである。
【背景技術】
【０００２】
出願人が所有する特許のイカ釣り用振り下ろしヤエンは、釣糸に装着し滑降させ、釣糸に取り付けた玉に到達することで、イカ掛け針を振り下ろしてイカが掛かることを特徴としている。（例えば、特許文献１を参照）
【０００３】
しかし、イカ掛け針を振り下ろすことで餌魚に食い付いたイカが掛かることは良いが、釣糸に玉の取り付けに時間が掛かるといった欠点があった。
【０００４】
この改善策として、  弱った餌魚の付け替えや、切れた釣糸を修復する度に玉の取り付けが発生することにある。
【先行技術文献】
【特許文献】
【０００５】
【特許文献１】特許第４５０２０８１号
【発明の概要】
【発明が解決しようとする課題】
【０００６】
解決しようとする問題点は、イカ掛け針の振り下ろしを釣糸に付けた餌魚から定めた寸法に玉の取り付けが短時間にできない点である。更に、イカ掛け針の振り下ろしが遅くイカの掛かりが悪い点である。更に、不揃いな寸法の餌魚にイカ掛け棒の長さを応じることができない点である。更に、上向きに突出したイカ掛け棒と下向きに突出した錘支柱とで収納運搬が困難な点である。
【課題を解決するための手段】
【０００７】
本発明の振り下ろしヤエンは、上記目的を達成するために、支持部と伝達部とイカ掛け部とで構成する。支持部は釣糸を装着する係止具を支持棒の前後に有する。ヤエンを立てて滑降させることと推進力となる主錘を後に有する係止具から下向きの錘支柱の下端に有する。支持棒の前で上向きに軸受けを有する。伝達部は餌魚に到達することで保持環がイカ掛け部に有する保持棒から抜け出し立てたイカ掛け棒を振り下ろす。イカ掛け部はイカ掛け棒の上にイカ掛け針と下端に軸とを有し、支持部に有する軸受けに回動自在に結合した軸を芯にイカ掛け針を振り下ろしイカに掛かる。イカ掛け棒が後向きに振れることを保持棒の中央部分で下向きに有する後振れ止め具で防ぎ、前向きに振れ過ぎをイカ掛け棒に有する保持棒の上で前向きに有する前振れ止め具で防ぐ。こうすることで、イカが食い付いた餌魚に当該ヤエンが到達し、伝達部の前に突出した伝達係止具に当たり伝達部の滑降が止まり、支持部とイカ掛け部とが滑降を続けることで保持環が保持棒から抜け出しイカ掛け棒の下端に有する軸を芯にイカ掛け針を振り下ろしイカが掛かることを可能にする最も主要な特徴とする。
【０００８】
更に、イカ掛け針の振り下ろしを速くするには、イカ掛け斜棒の上端を延長し振り下ろし錘を固着することで可能にする。
【０００９】
更に、イカ掛け棒を伸縮するには、イカ掛け棒を上下に分割した下をイカ掛け棒下とする上端をスライド筒下に備えた一方の穴に擦り動に挿入し、スライド筒上に備えた一方の穴に挿入し固着する。分割した上をイカ掛け棒上とする下端をスライド筒上に備えた他方の穴に擦り動に挿入し、スライド筒下に備えた他方の穴に挿入し固着することで可能にする。
【００１０】
更に、イカ掛け棒と錘支柱とを折りたたむには、イカ掛け棒の折りたたみについては、イカ掛け棒を上下に分割した上をイカ掛け棒上とし下端に軸を有する。分割した下をイカ掛け棒下とし中央部分で後向きに軸受けと上端にキャッチャーの開口を後向きに有する。イカ掛け棒上の下端に有する軸を芯に振り下ろし折りたたむ。錘支柱については、錘支柱を上下に分割した下を錘支柱下とする上端に軸を有する。分割した上を錘支柱上とする中央部分で前向きに軸受けと下端にキャッチャーの開口を前向きに有する。キャッチャーの素材が持つ弾性で開口から押し込んだイカ掛け棒上と錘支柱下とを引き放し、軸を芯に回動して折りたたむことを可能にする。
【発明の効果】
【００１１】
本発明の振り下ろしヤエンは、イカ掛け針の振り下ろしに玉を不要とすることで、弱った餌魚の付け替えや切れた仕掛けの修復の度に時間を掛けることが不要となり、限られた釣り時間を有効に使える利点がある。更に、イカ掛け斜棒の上端に振り下ろし錘を固着することでイカ掛け針の振り下ろしを速くしイカの掛かりを良くし、更に、イカ掛け棒を伸縮することで不揃いな餌魚の寸法に応じることでイカの掛け損じを減少し、更に、イカ掛け棒と錘支柱とを折りたたむことで嵩を小さくし収納運搬を容易にする。釣人が求めるヤエンでのイカ釣りは、釣糸に付けて投入した餌魚が底近くまで潜っているか、釣糸が底の岩や海藻に掛かりはしないかと心配しながら待ち、イカが餌魚に食い付くと釣糸を引き出すことで分かり、ヤエンを滑降させるタイミングを待つが、待ち過ぎて餌魚を食い尽くされないか、ヤエンを装着する動作でイカが餌魚を放さないか、と思いながらヤエンを滑降させ到達が分からないままにイカが掛かるのを待ち、釣糸を強く引き出すことでイカ掛け針がイカに掛かったことが分かるが、イカ掛け針がイカのどこにどう掛かっているかと、イカを取り込むまで心配の連続であるが、イカを取り込んだときの達成感を求める釣りではあるが、難しいとされるヤエンが餌魚に到達したことの判断は当該ヤエンが行いイカ掛け針を振り下ろしイカを掛け、他の釣りでは味わえないヤエンでのイカ釣りを一層楽しくする利点がある。
【図面の簡単な説明】
【００１２】
【図１】本発明の振り下ろしヤエンの形態を示す斜視図である。
【図２】図１の伝達部に支持部を結合する手順を示す部分詳細の斜視図である。
【図３】図１の係止具に釣糸を装着し滑降させる形態を示す概念図である。
【図４】図１のイカ掛け針を振り下ろしイカが掛かる形態を示す概念図である。
【図５】図１のイカ掛け斜棒に振り下ろし錘を固着した形態を示す部分図である。
【図６】図１のイカ掛け棒が伸縮する形態を示す斜視図である。
【図７】図１のイカ掛け棒と錘支柱とを折りたたむ形態を示す斜視図である。
【図８】図４のイカ掛け棒の振り下ろしを示す部分詳細の斜視図である。
【図９】図６のイカ掛け棒が伸縮する形態を示す部分詳細の斜視図である。
【図１０】図７の収納の形態を示す斜視図である。
【図１１】図７のイカ掛け棒を折りたたむ形態を示す部分詳細の斜視図である。
【発明を実施するための形態】
【００１３】
本発明は、釣糸に装着し滑降させ餌魚に到達することでイカ掛け針を振り下ろす振り下ろしヤエンを実現した。更に、イカ掛け針の振り下ろしを速くすることでイカの掛かりを良くし、更に、不揃いな餌魚の長さに応じてイカ掛け棒を伸縮することでイカの掛け損じを減少し、更に、上に突出したイカ掛け棒と下に突出した錘支柱とを折りたたむことで嵩を小さくすることをも可能にした振り下ろしヤエンで、それを図面について説明する。
【００１４】
図１は、本発明の振り下ろしヤエンの形態を示す斜視図であり、棒状体を縦向きのイカ掛け棒１１とするとともに上部分を後向きに傾けたイカ掛け斜棒（イカ掛け斜棒とは、イカ掛け針を振り下ろしたときに針先を下に向けてイカに掛かり易くした棒とする）１２とする前向きにイカ掛け針（イカ掛け針とは、開いた傘を縦半分にした形に針軸を寄せて固着した針とする）１３の針先を下向きに固着し、イカ掛け棒１１の下端に軸（軸とは、棒状体の下端を左右向きで三角形に屈曲した底辺とする）４３を有し、棒状体を前後向きの保持棒１４とする前端をイカ掛け棒１１に有する軸４３の上で後向きに固着し、前振れ止め具（振れ止め具とは、棒状体を三角形に屈曲した底辺とする）１５をイカ掛け棒１１に有する保持棒１４の上で前向きに固着し、後振れ止め具１６を保持棒１４の中央部分で下向きに固着したイカ掛け部とする。棒状体を前後向きの連結棒２１とするとともに後部分を上向きに屈曲した連結支柱２２とする上端に穴が前後向きの保持環２３と中央部分に穴が前後向きのガイドラセン環２４とを有し、棒状体を縦向きのガイド支柱２５とし下端に有する穴が前後向きのガイド環２６を連結棒２１に前後動自在に挿入し、連結棒２１の前部分を前向きの長円に屈曲した伝達枠２７を有し、棒状体を縦向きの伝達支柱２８とし上端を伝達枠２７の前で下向きに固着した下端に穴が前後向きの伝達係止具（係止具とは、釣糸の掛け外しが自在な解放環とする）２９を有した伝達部とする。棒状体を前後向きの支持棒３１とする前後部分を下向きに屈曲した前を前支柱３２とし下端に穴が前後向きの前係止具３４を有し、後を後支柱３３とし下に穴が前後向きの後係止具３５を有した下向きに錘支柱４１を有した下端に主錘（主錘とは、釣糸に装着したときにイカ掛け棒を立てに維持するとともに滑降する推進力となる錘とする）４２を固着し、支持棒３１の前で上向きに軸受け（棒状体を湾曲させた両端に向かい合わせで左右向きに環を備えた結合具とする）４４を固着した支持部とで構成し、支持棒３１にガイドラセン環２４を前後動自在に挿入し、前支柱３２に伝達枠２７を前後動自在に挿入し、連結棒２１に予め挿入しておいたガイド環２６に有するガイド支柱２５の上端を、伝達部が後退することで共に後退する伝達枠２７を避けた支持棒３１の下向きに固着し、軸受け４４に軸４３を回動自在に結合する。
【００１５】
図２は、図１の伝達部に支持部を結合する手順を示す部分詳細の斜視図であり、棒状体を前後向きの支持棒３１とする前部分を下向きに屈曲した前支柱３２の下端に穴が前後向きの前係止具３４とした支持棒３１の後端より、予め形成しておいた伝達部に有する伝達枠２７の下面から前後動自在に挿入するとともにガイドラセン環２４をも前後動自在に挿入し、連結棒２１に前後動自在に挿入したガイド環２６に縦向きのガイド支柱２５の上端を、伝達部が後退することで共に後退する伝達枠２７を避けた支持棒３１の下向きに固着する。
【００１６】
図３は、図１の係止具に釣糸を装着し滑降させる形態を示す概念図であり、釣糸９１の前から伝達係止具２９と前係止具３４と後係止具３５との順に装着し、保持環２３を保持棒１４の後部分に挿入することで伝達部を前進させ伝達枠２７が前に突出するとともにイカ掛け棒１１を振り上げて、主錘４２により釣糸９１を支点にイカ掛け棒１１を立てに保持する。
【００１７】
図４は、図１のイカ掛け針を振り下ろしイカが掛かる形態を示す概念図であり、釣糸９１に装着し滑降させイカ９３が食い付いた餌魚９２に到達することで、伝達係止具２９が餌魚９２に当たり伝達部は滑降を停止し、支持部とイカ掛け部とは滑降を続け保持環２３から保持棒１４が抜け、後振れ止め具１６に備えた底辺が支持棒３１に当たることでイカ掛け棒１１が後向きへの振れを防ぎ、軸受け４４に回動自在に結合した軸４３を芯にイカ掛け棒１１を前向きに振り下ろし、前振れ止め具１５に備えた底辺が前支柱３２に当たることでイカ掛け棒１１が前への振れ過ぎを防ぎ、後向きに傾けたイカ掛け斜棒１２によりイカ掛け針１３の針先が下を向きイカ９３に掛かる。
【００１８】
図５は、図１のイカ掛け斜棒に振り下ろし錘を固着した形態を示す部分図であり、イカ掛け棒１１の上に有するイカ掛け斜棒１２の上端を延長し、振り下ろし錘５１を固着することでイカ掛け針１３の振り下ろしを速くする。
【００１９】
図６は、図１のイカ掛け棒が伸縮する形態を示す斜視図であり、イカ掛け棒を上下に分割した下をイカ掛け棒下６２とする上端をスライド筒（スライド筒とは、筒状体で側面に縦向きで向かい合わせに線状のくぼみを有することで二分された穴を有する筒とする）下６４に備えた一方の穴に擦り動に挿入しスライド筒上６３に備えた一方の穴に挿入するとともに固着し、分割した上をイカ掛け棒上６１とする下端をスライド筒上６３に備えた他方の穴に擦り動に挿入しスライド筒下６４に備えた他方の穴に挿入するとともに固着することでイカ掛け棒上６１とスライド筒下６４とが上下動し自由な位置に止まる。
【００２０】
図７は、図１のイカ掛け棒と錘支柱とを折りたたむ形態を示す斜視図であり、イカ掛け棒の折りたたみについては、イカ掛け棒を上下に分割した上をイカ掛け棒上７１とする下端に軸７３を有し、分割した下をイカ掛け棒下７２とする中央部分で後向きに軸受け７４と上端にキャッチャー（キャッチャーとは、棒状体を湾曲させた両端に指掛かりを備え、素材が持つ弾性で開口に押し込み引き放しができる接合具とする）７５の開口を後向きにし、軸受け７４に備えた環に軸７３を回動自在に結合する。錘支柱の折りたたみについては、錘支柱を上下に分割した下を錘支柱下８１とする上端に左右向きの軸８３を有し、分割した上を錘支柱上８２とする中央部分で前向きに軸受け８４と下端にキャッチャー８５の開口を前向きにし、軸受け８４に備えた環に軸８３を回動自在に結合する。
【００２１】
図８は、図４のイカ掛け棒の振り下ろしを示す部分詳細の斜視図であり、釣糸９１に装着し滑降させて餌魚９２に到達することで前に突出した伝達係止具２９が餌魚９２に当たり伝達部の滑降が停止し、支持部とイカ掛け部とが滑降を続けることで、伝達枠２７に挿入した前支柱３２が後から前に移動し保持環２３から保持棒１４が抜け出し、支持部とイカ掛け部とが滑降を停止し、後振れ止め具１６に備えた底辺が支持棒３１に当たることでイカ掛け棒１１が後向きに振れることを防ぎ、軸４３を芯にイカ掛け棒１１が前向きに回動し、前振れ止め具１５に備えた底辺が前支柱３２に当たりイカ掛け棒１１の振れ過ぎを防ぐ。
【００２２】
図９は、図６のイカ掛け棒が伸縮する形態を示す部分詳細の斜視図であり、イカ掛け棒下６２がスライド筒下６４に備えた一方の穴を擦り動に挿入しスライド筒上６３に備えた一方の穴に挿入するとともに固着し、イカ掛け棒上６１がスライド筒上６３に備えた他方の穴を擦り動に挿入しスライド筒下６４に備えた他方の穴に挿入するとともに固着することで、イカ掛け棒上６１を上下動し自由な位置に止まる。
【００２３】
図１０は、図７の収納の形態を示す斜視図であり、イカ掛け棒下７２の上端に有するキャッチャー７５に押し込んだイカ掛け棒上７１を引き放し、イカ掛け棒下７２の中央部分で後向きに有する軸受け７４に備えた環を回動自在に結合した軸７３を芯に後向きに振り下ろすことで折りたため、錘支柱上８２の下端に有するキャッチャー８５に押し込んだ錘支柱下８１を引き放し、錘支柱上８２の中央部分で前向きに有する軸受け８４に備えた環を回動自在に結合した軸８３を芯に前向きに起こすことで折りたためる。
【００２４】
図１１は、図７のイカ掛け棒を折りたたむ形態を示す部分詳細の斜視図であり、イカ掛け棒下７２の後向きで中央部分に有する軸受け７４に備えた向かい合わせの環に回動自在に結合した軸７３を有するイカ掛け棒上７１を押し込んだキャッチャー７５から引き放して軸７３を芯に振り下ろして折りたためる。
【００２５】
錘支柱４１の折りたたみについては図１１を参照とし説明は省略する。
【００２６】
このような餌魚に到達することでイカ掛け針の振り下ろしを採用したので、釣糸に取り付けの時間が掛かる玉を不要とすることで、限られた釣り時間を有効に釣りができ、更に、イカ掛け針の振り下ろしを速くすることや、更に、不揃いな餌魚の長さに応じてイカ掛け棒を伸縮することでイカが容易に掛かり釣果率を上げる効果がある。更に、突出した上向きのイカ掛け棒と下向きの錘支柱とを折りたたむことで、嵩が小さくなり収納運搬中に変形や破損を防ぐことができる効果がある。なお、イカ掛け針を振り下ろすことを前提とし、イカ掛け斜棒に振り下ろし錘の固着ができること、イカ掛け棒が伸縮できること、イカ掛け棒と錘支柱とが折りたためること、とを個々に説明したが組み合わせることを可能とする。
【符号の説明】
【００２７】
１１  イカ掛け棒
１２  イカ掛け斜棒
１３  イカ掛け針
１４  保持棒
１５  前振れ止め具
１６  後振れ止め具
２１  連結棒
２２  連結支柱
２３  保持環
２４  ガイドラセン環
２５  ガイド支柱
２６  ガイド環
２７  伝達枠
２８  伝達支柱
２９  伝達係止具
３１  支持棒
３２  前支柱
３３  後支柱
３４  前係止具
３５  後係止具
４１  錘支柱
４２  主錘
４３、７３、８３  軸
４４、７４、８４  軸受け
５１  振り下ろし錘
６１、７１  イカ掛け棒上
６２、７２  イカ掛け棒下
６３  スライド筒上
６４  スライド筒下
７５、８５  キャッチャー
８１  錘支柱下
８２  錘支柱上
９１  釣糸
９２  餌魚
９３  イカ
【図１】
2015128377.tif 000003
【図２】
2015128377.tif 000004
【図３】
2015128377.tif 000005
【図４】
2015128377.tif 000006
【図５】
2015128377.tif 000007
【図６】
2015128377.tif 000008
【図７】
2015128377.tif 000009
【図８】
2015128377.tif 000010
【図９】
2015128377.tif 000011
【図１０】
2015128377.tif 000012
【図１１】
2015128377.tif 000013
【手続補正書】
【提出日】平成26年5月8日(2014.5.8)
【手続補正１】
【補正対象書類名】明細書
【補正対象項目名】０００６
【補正方法】変更
【補正の内容】
【０００６】
解決しようとする問題点は、イカ掛け針の振り下ろしを釣糸に付けた餌魚から定めた寸法に玉の取り付けが短時間にすることが不可能な点である。更に、イカ掛け針の振り下ろしが遅くイカの掛かりが悪い点である。更に、不揃いな寸法の餌魚にイカ掛け棒の長さを応じることが不可能な点である。更に、上向きに突出したイカ掛け棒と下向きに突出した錘支柱とで収納運搬が困難な点である。
【手続補正２】
【補正対象書類名】明細書
【補正対象項目名】０００７
【補正方法】変更
【補正の内容】
【０００７】
本発明の振り下ろしヤエンは、上記目的を達成するために、釣糸に玉の取り付けが短時間にすることが不可能なことについては、イカ掛け針の振り下ろしを、釣糸に取り付けた玉に到達することに替えて、釣糸に付けた餌魚に到達し当たることとする。それを形にするには、支持部と伝達部とイカ掛け部とで構成する。支持部には前後向きの支持棒とする前後に下向きの前支柱と後支柱とする下端に前係止具と後係止具とを有する。後係止具の下向きを錘支柱とする下端に主錘を固着する。支持棒の前で上向きに軸受けを有する。伝達部には前後向きの連結棒とする前に伝達枠を有する。該伝達枠の前で下向きの伝達支柱とする下端に伝達係止具を有する。連結棒の後を上向きの連結支柱とする上端に保持環を有し、伝達部を円滑に前後動するためのガイドラセン環を、連結支柱の中央付近に有する。縦向きのガイド支柱とする下端に有するガイド環を予め連結棒に挿入する。イカ掛け部には縦向きにイカ掛け棒を有し、上部分を後向きに傾けたイカ掛け斜棒の前向きにイカ掛け針を固着する。イカ掛け棒の下端に軸を有する。イカ掛け棒に有する軸の上で後向きに保持棒を固着する。保持棒の中央部分で下向きに後振れ止め具を有する。イカ掛け棒に固着した保持棒の上で前向きに前振れ止め具を有する。そうした、支持部に有する軸受けとイカ掛け部に有する軸とを回動自在に結合する。支持部に有する支持棒を伝達部に有するガイドラセン環に前後動自在に挿入する。伝達部を後退させて連結棒の前部分に予め挿入しておいたガイド環に有する上向きのガイド支柱の上端を支持棒の下向きに固着する。支持部に有する前支柱を伝達部に有する伝達枠に前後動自在に挿入する。こうすることで、伝達部に有する伝達係止具と支持部に有する前係止具と後係止具との順に釣糸の前から装着し、イカ掛け部に有する軸を芯にイカ掛け棒を振り上げて立て、保持棒の後部分に伝達部に有する保持環を挿入し滑降させる。イカが食い付いた餌魚に到達し、伝達部に有する前に突出した伝達枠が餌魚に当たることで伝達部の滑降が止まり、支持部とイカ掛け部とが滑降を続けることで、伝達部に有する保持環に挿入したイカ掛け部に有する保持棒が抜け、後振れ止め具が支持部に有する支持棒に当たることでイカ掛け部に有するイカ掛け棒が後向きに振れることを防ぎ、軸を芯にイカ掛け棒が回動しイカ掛け針を振り下ろし、前振れ止め具が支持部に有する前支柱に当たることでイカ掛け棒が前向きに振れ過ぎることを防ぎ、イカが掛かることを可能にする最も主要な特徴とする。
【手続補正３】
【補正対象書類名】明細書
【補正対象項目名】０００８
【補正方法】変更
【補正の内容】
【０００８】
更に、イカ掛け針の振り下ろしが遅いことについては、イカ掛け斜棒の上端を上向きに延長し振り下ろし錘を固着することで、イカ掛け針を速く振り下ろすことを可能にする。
【手続補正４】
【補正対象書類名】明細書
【補正対象項目名】０００９
【補正方法】変更
【補正の内容】
【０００９】
更に、不揃いな寸法の餌魚にイカ掛け棒の長さを応じることが不可能なことについては、イカ掛け棒を上下に分割した下をイカ掛け棒下と、上をイカ掛け棒上とし、縦に二分した穴を有するスライド筒上とスライド筒下とに一方の穴に擦り動に挿入し、縦に二分した穴を有するスライド筒上の一方の穴に挿入し固着する。分割した上をイカ掛け棒上とする下から、スライド筒上の他方の穴に擦り動に挿入し、スライド筒下の他方の穴に挿入し固着することで、イカ掛け棒上を伸縮することで餌魚の長さに応じることを可能にする。
【手続補正５】
【補正対象書類名】明細書
【補正対象項目名】００１０
【補正方法】変更
【補正の内容】
【００１０】
更に、上向きに突出したイカ掛け棒と下向きに突出した錘支柱とで収納運搬が困難なことについては、イカ掛け棒を折りたたむには、イカ掛け棒を上下に分割した上をイカ掛け棒上とし下端に軸を有する。分割した下をイカ掛け棒下とし中央付近で後向きに軸受けを固着し、上端にキャッチャーの開口を後向きに固着する。錘支柱を折りたたむには、錘支柱を上下に分割した下を錘支柱下とする上端に軸を有する。分割した上を錘支柱上とする中央付近に軸受けを固着し、下端にキャッチャーの開口を前向きに固着する。こうすることで、キャッチャーの開口から押し込んだイカ掛け棒上と錘支柱下とを引き放し、軸を芯に回動して折りたたむことを可能にする。
【手続補正６】
【補正対象書類名】明細書
【補正対象項目名】００１１
【補正方法】変更
【補正の内容】
【００１１】
本発明の振り下ろしヤエンは、イカ掛け針の振り下ろしに玉を不要とすることで、弱った餌魚の付け替えや切れた仕掛けの修復の度に時間を掛けて玉を取り付けることが不要となり、限られた釣り時間を有効に使える利点がある。更に、イカ掛け斜棒の上端に振り下ろし錘を固着することでイカ掛け針の振り下ろしを速くしイカの掛かりを良くし、更に、イカ掛け棒を伸縮することで不揃いな餌魚の寸法に応じることでイカの掛け損じを減少し、更に、イカ掛け棒と錘支柱とを折りたたむことで嵩を小さくし収納運搬を容易にする利点がある。難しいとされるヤエンが餌魚に到達したことの判断は当該ヤエンが行いイカ掛け針を振り下ろしイカを掛けるのでヤエンでのイカ釣りを一層楽しくする利点がある。
【手続補正７】
【補正対象書類名】明細書
【補正対象項目名】００１４
【補正方法】変更
【補正の内容】
【００１４】
図１は、本発明の振り下ろしヤエンの形態を示す斜視図であり、棒状体を縦向きのイカ掛け棒１１とするとともに上部分を後向きに傾けたイカ掛け斜棒（イカ掛け斜棒とは、イカ掛け針を振り下ろしたときに針先が下を向きイカに掛かり易くした棒とする）１２とする前向きにイカ掛け針（イカ掛け針とは、開いた傘を縦半分にした形に針軸を寄せて固着した針とする）１３の針先を前向きに固着し、イカ掛け棒１１の下端に軸（軸とは、棒状体を左右向きで三角形に屈曲した底辺とする）４３を有し、棒状体を前後向きの保持棒１４とする前端をイカ掛け棒１１に有する軸４３の上で後向きに固着し、前振れ止め具（振れ止め具とは、棒状体を左右向きで三角形に屈曲した底辺とする）１５をイカ掛け棒１１に固着した保持棒１４の上で前向きに固着し、後振れ止め具１６を保持棒１４の中央付近で下向きに固着したイカ掛け部とする。棒状体を前後向きの連結棒２１とするとともに後部分を上向きに屈曲した連結支柱２２とする上端に穴が前後向きの保持環２３を有し、連結支柱２２の中央付近に穴が前後向きのガイドラセン環２４を有し、棒状体を縦向きのガイド支柱２５とする下端に有する穴が前後向きのガイド環２６を連結棒２１に前後動自在に予め挿入し、該連結棒２１の前部分を前向きの長円に屈曲した伝達枠２７を有し、棒状体を縦向きの伝達支柱２８とする下端に伝達係止具（係止具とは、穴が前後向きで釣糸の掛け外しが自在な解放環とする）２９を有した伝達支柱２８の上端を伝達枠２７の前で下向きに固着した伝達部とする。棒状体を前後向きの支持棒３１とする前部分を下向きに屈曲した前支柱３２とする下端に前係止具３４を有し、支持棒３１の後部分を下向きに屈曲した後支柱３３とする下端に後係止具３５を有した下向きを錘支柱４１とする下端に主錘（主錘とは、釣糸に装着したときにイカ掛け棒を立てに維持するとともに滑降する推進力とした錘とする）４２を固着し、支持棒３１の前付近に軸受け（軸受けとは、棒状体を湾曲させた両端に向かい合わせで左右向きの環を備えた結合具とする）４４に備えた環を上向きで湾曲した中央を固着した支持部とで構成する。支持棒３１にガイドラセン環２４を前後動自在に挿入し、前支柱３２に伝達枠２７を前後動自在に挿入し、予め連結棒２１に挿入しておいたガイド環２６に有する上向きのガイド支柱２５の上端を、伝達部を後退させた連結棒２１の前付近で支持棒３１の下向きに固着し、軸受け４４と軸４３を回動自在に結合する。
【手続補正８】
【補正対象書類名】明細書
【補正対象項目名】００１５
【補正方法】変更
【補正の内容】
【００１５】
図２は、図１の伝達部に支持部を結合する手順を示す部分詳細の斜視図であり、棒状体を前後向きの支持棒３１とする前部分を下向きに屈曲した前支柱３２の下端に前係止具３４を有したのちに、支持棒３１の後端より、予め形成しておいた伝達部に有する伝達枠２７の下面から挿入するとともにガイドラセン環２４をも挿入し、予め連結棒２１に挿入しておいたガイド環２６に有する上向きのガイド支柱２５の上端を、伝達部を後退させた連結棒２１の前付近で支持棒３１の下向きに固着する。
【手続補正９】
【補正対象書類名】明細書
【補正対象項目名】００１７
【補正方法】変更
【補正の内容】
【００１７】
図４は、図１のイカ掛け針を振り下ろしイカが掛かる形態を示す概念図であり、釣糸９１に装着し滑降させイカ９３が食い付いた餌魚９２に到達し、伝達係止具２９が餌魚９２に当たり伝達部は滑降を停止し、支持部とイカ掛け部とは滑降を続け保持環２３から保持棒１４が抜け、後振れ止め具１６が支持棒３１に当たることでイカ掛け棒１１が後向きへの振れを防ぎ、軸４３を芯にイカ掛け棒１１を前向きに振り下ろし、前振れ止め具１５が前支柱３２に当たることでイカ掛け棒１１が前への振れ過ぎを防ぎ、イカ掛け斜棒１２に固着したイカ掛け針１３の針先が下を向きイカ９３に掛かる。
【手続補正１０】
【補正対象書類名】明細書
【補正対象項目名】００１９
【補正方法】変更
【補正の内容】
【００１９】
図６は、図１のイカ掛け棒が伸縮する形態を示す斜視図であり、イカ掛け棒を上下に分割した下をイカ掛け棒下６２とする上端からスライド筒（スライド筒とは、筒状体の穴を縦向きで縦に向かい合わせのくぼみを有することで縦で前後に二分された穴を有する筒とする）下６４とする後穴に擦り動に挿入するとともにスライド筒上６３とする後穴に挿入固着し、分割した上をイカ掛け棒上６１とする下端からスライド筒上６３の前穴に擦り動に挿入するとともにスライド筒下６４の前穴に挿入固着することでイカ掛け棒上６１とスライド筒下６４とが上下動し自由な位置に止まる。
【手続補正１１】
【補正対象書類名】明細書
【補正対象項目名】００２０
【補正方法】変更
【補正の内容】
【００２０】
図７は、図１のイカ掛け棒と錘支柱とを折りたたむ形態を示す斜視図であり、イカ掛け棒の折りたたみについては、イカ掛け棒を上下に分割した上をイカ掛け棒上７１とする下端に軸７３を有し、分割した下をイカ掛け棒下７２とする中央付近に軸受け７４に備えた環を後向きで湾曲した中央を固着し、上端にキャッチャー（キャッチャーとは、棒状体を湾曲させた両端に指掛かりを備え、素材が持つ弾性で開口に押し込み引き放しができる接合具とする）７５の開口を後向きに固着し、軸受け７４と軸７３を回動自在に結合する。錘支柱の折りたたみについては、錘支柱を上下に分割した下を錘支柱下８１とする上端に軸８３を有し、分割した上を錘支柱上８２とする中央付近に軸受け８４に備えた向かい合わせの環を前向きで湾曲した中央を固着し、下端にキャッチャー８５の開口を前向きに固着し、軸受け８４と軸８３を回動自在に結合する。
【手続補正１２】
【補正対象書類名】明細書
【補正対象項目名】００２４
【補正方法】変更
【補正の内容】
【００２４】
図１１は、図７のイカ掛け棒を折りたたむ形態を示す部分詳細の斜視図であり、イカ掛け棒下７２の中央付近に有する軸受け７４に備えた向かい合わせの環とイカ掛け棒上７１の下端に有する軸７３を回動自在に結合し、キャッチャー７５に押し込んだイカ掛け棒上７１を引き放して軸７３を芯に振り下ろして折りたたむ。
【手続補正１３】
【補正対象書類名】特許請求の範囲
【補正対象項目名】請求項１
【補正方法】変更
【補正の内容】
【請求項１】
棒状体を縦向きのイカ掛け棒とするとともに上部分を後向きに傾けたイカ掛け斜棒とする前向きにイカ掛け針を固着し、イカ掛け棒の下端に軸を有し、棒状体を前後向きの保持棒とする前端をイカ掛け棒に有する軸の上で後向きに固着し、前振れ止め具をイカ掛け棒に固着した保持棒の上で前向きに固着し、後振れ止め具を保持棒の中央付近で下向きに固着したイカ掛け部と、棒状体を前後向きの連結棒とするとともに後部分を上向きに屈曲した連結支柱とする上端に保持環を有し、連結支柱の中央付近にガイドラセン環を有し、棒状体を上向きのガイド支柱とする下端に有するガイド環を連結棒に前後動自在に予め挿入し、該連結棒の前部分を前向きの長円に屈曲した伝達枠を有し、棒状体を縦向きの伝達支柱とする下端に伝達係止具を有した伝達支柱の上端を、伝達枠の前で下向きに伝達支柱の上端を固着した伝達部と、棒状体を前後向きの支持棒とする前部分を下向きに屈曲した前支柱とする下端に前係止具を有し、支持棒の後部分を下向きに屈曲した後支柱とする下端に後係止具を有した下向きを錘支柱とする下端に主錘を固着し、支持棒の前付近に軸受けを固着した支持部とで構成し、支持棒にガイドラセン環を前後動自在に挿入し、前支柱に伝達枠を挿入し、予め連結棒に挿入しておいたガイド環に有する上向きのガイド支柱の上端を、伝達部が後退した連結棒の前付近で支持棒の下向きに固着し、軸受けと軸を結合する。こうすることで、釣糸に装着し滑降させ伝達係止具が餌魚に当たることで伝達部の滑降が止まり、支持部とともにイカ掛け部とが滑降を続けることで、保持環に挿入した保持棒が抜けて立てたイカ掛け棒が軸を芯に回動しイカ掛け針を振り下ろすことを特徴とする振り下ろしヤエン。
【手続補正１４】
【補正対象書類名】特許請求の範囲
【補正対象項目名】請求項３
【補正方法】変更
【補正の内容】
【請求項３】
請求項１記載の振り下ろしヤエンにおいて、イカ掛け棒を上下に分割した下をイカ掛け棒下とする上端からスライド筒下とする後穴に擦り動に挿入するとともにスライド筒上とする後穴に挿入固着し、分割した上をイカ掛け棒上とする下端からスライド筒上の前穴に擦り動に挿入するとともにスライド筒下の他方の穴に挿入固着することで、イカ掛け棒上を上下させ自由な位置で止まることで、イカ掛け棒を伸縮することを特徴とする振り下ろしヤエン。
【手続補正１５】
【補正対象書類名】特許請求の範囲
【補正対象項目名】請求項４
【補正方法】変更
【補正の内容】
【請求項４】
請求項１記載の振り下ろしヤエンにおいて、イカ掛け棒の折りたたみについては、イカ掛け棒を上下に分割した上をイカ掛け棒上とする下端に軸を有し、分割した下をイカ掛け棒下とする中央付近に軸受けを固着し、イカ掛け棒下の上端にキャッチャーの開口を後向きに有し、軸受けと軸を結合する。錘支柱の折りたたみについては、錘支柱を上下に分割した下を錘支柱下とする上端に軸を有し、分割した上を錘支柱上とする中央付近で前向きに軸受けを固着し、下端にキャッチャーの開口を前向きに有し、軸受けと軸を結合する。こうすることで、キャッチャーの素材が持つ弾性で開口から押し込んで止めたイカ掛け棒上と錘支柱とを引き放し、イカ掛け棒に有する軸と錘支柱に有する軸を芯に回動させイカ掛け棒と錘支柱を折りたたむことを特徴とする振り下ろしヤエン。
【手続補正書】
【提出日】平成26年7月22日(2014.7.22)
【手続補正１】
【補正対象書類名】特許請求の範囲
【補正対象項目名】請求項１
【補正方法】変更
【補正の内容】
【請求項１】
縦向きのイカ掛け棒（１１）の上部分を後向きに傾けたイカ掛け斜棒（１２）とし、イカ掛け斜棒（１２）に前向きにイカ掛け針（１３）を固着し、イカ掛け棒（１１）の下端に軸（４３）を固着し、前後向きの保持棒（１４）をイカ掛け棒（１１）における軸（４３）の上から後向きに固着し、前振れ止め具（１５）をイカ掛け棒（１１）における保持棒（１４）の上から前向きに固着し、後振れ止め具（１６）を保持棒（１４）の中央付近から下向きに固着したイカ掛け部と、前後向きの連結棒（２１）の後部分を上向きに屈曲した連結支柱（２２）の上端に保持環（２３）を設け、連結支柱（２２）の中央付近にガイドラセン環（２４）を設け、縦向きのガイド支柱（２５）の下端に設けられたガイド環（２６）を連結棒（２１）に前後動自在に挿入し、該連結棒（２１）の前部分に前後向きの長円に屈曲した伝達枠（２７）を形成し、伝達枠（２７）の前で下向きに固着した伝達支柱（２８）の下端に伝達係止具（２９）を設けた伝達部と、前後向きの支持棒（３１）の前部分を下向きに屈曲した前支柱（３２）の下端に前係止具（３４）を設け、支持棒（３１）の後部分を下向きに屈曲した後支柱（３３）の下端に後係止具（３５）を設け、後係止具（３５）から下向きに設けた錘支柱（４１）の下端に主錘（４２）を固着し、支持棒（３１）の前部に軸受け（４４）を固着した支持部とで構成し、支持棒（３１）にガイドラセン環（２４）を前後動自在に挿入し、前支柱（３２）に伝達枠（２７）を挿入し、連結棒（２１）に挿入しておいたガイド環（２６）から上向きに延びるガイド支柱（２５）の上端を支持棒（３１）から下向きに固着し、軸受け（４４）と軸（４３）を結合し、伝達係止具（２９）と前係止具（３４）と後係止具（３５）とを釣糸に装着してイカ掛け部と支持部と伝達部とを滑降させると、伝達係止具（２９）が餌魚に当たることで伝達部の滑降が止まり、支持部とイカ掛け部とが滑降を続けることで、保持環（２３）に挿入した保持棒（１４）が抜けて、立てた状態のイカ掛け棒（１１）が軸（４３）を芯に回動し、イカ掛け針（１３）を振り下ろすように構成したことを特徴とする振り下ろしヤエン。
【手続補正２】
【補正対象書類名】特許請求の範囲
【補正対象項目名】請求項３
【補正方法】変更
【補正の内容】
【請求項３】
請求項１記載の振り下ろしヤエンにおいて、イカ掛け棒を上下に分割し、下側イカ掛け棒（６２）を下側スライド筒（６４）の後穴に摺動自在に挿入するとともに、下側イカ掛け棒（６２）の上端を上側スライド筒（６３）の後穴に挿入固着し、上側イカ掛け棒（６１）を上側スライド筒（６３）の前穴に摺動自在に挿入するとともに、上側イカ掛け棒（６１）の下端を下側スライド筒（６４）の前穴に挿入固着し、上側イカ掛け棒（６１）を上下させ自由な位置で止めることでイカ掛け棒を伸縮可能としたことを特徴とする振り下ろしヤエン。
【手続補正３】
【補正対象書類名】特許請求の範囲
【補正対象項目名】請求項４
【補正方法】変更
【補正の内容】
【請求項４】
請求項１記載の振り下ろしヤエンにおいて、イカ掛け棒を上下に分割し、上側イカ掛け棒（７１）の下端に軸（７３）を設け、下側イカ掛け棒（７２）に軸受け（７４）を固着し、下側イカ掛け棒（７２）の上端にキャッチャー（７５）の開口を後向きに固着し、軸受け（７４）と軸（７３）を結合するとともに、錘支柱を上下に分割し、下側錘支柱（８１）の上端に軸（８３）を設け、上側錘支柱（８２）に軸受け（８４）を固着し、上側錘支柱（８２）の下端にキャッチャー（８５）の開口を前向きに固着し、軸受け（８４）と軸（８３）を結合して、イカ掛け棒と錘支柱とをキャッチャーから引き放し、軸を中心に回動させることで、イカ掛け棒と錘支柱とを折りたたみ可能とした特徴とする振り下ろしヤエン。